(57)【要約】      （修正有）【課題】期限の決まった多種多様な目標に対応する、たとえば、大学や高校、中学校などの入学試験用、目標の資格試験の受験日などに向かって、自分で日数調整のできる目標達成カウントダウンカレンダーを提供する。【解決手段】バインダー式の本体に目標達成カウントダウンカレンダーの表紙を設け、表紙の下方に紐２を設け、バインダー式の本体の内側に開閉リング５を設け、開閉リング５に綴られている暦を設け、用紙Ａにミシン目６と呼びかけの言葉の記入欄を設け、用紙Ｂにミシン目６とスタートの合図の暦を設け、用紙Ｃにミシン目６、罫線８、残り日数、メモ欄、実際の日付を設け、用紙Ｄにミシン目６、激励の言葉の記入欄を設け、用紙Ｅにミシン目６、目標に定めた日の当日の白紙の紙を設け、用紙Ｆにミシン目６、目標達成祝福の言葉を書いた暦を設け、用紙Ａ、用紙Ｂ、用紙Ｃ、用紙Ｄ、用紙Ｅ、用紙Ｆとバインダー式の本体と組み合わせた。【選択図】図２
2014108625.tif 000002
【特許請求の範囲】
【請求項１】
バインダー式の本体に目標達成カウントダウンカレンダーの表紙（１）を設け、表紙（１）の下方に紐（２）を設け、バインダー式の本体の内側に開閉リング（５）を設け、開閉リング（５）に綴られている暦（３）を設け、用紙Ａ（１８）にミシン目（６）と呼びかけの言葉の記入欄（１０）を設け、用紙Ｂ（１９）にミシン目（６）とスタートの合図の暦（１１）を設け、用紙Ｃ（２０）にミシン目（６）、罫線（８）、残り日数（１２）、メモ欄（１３）、実際の日付（１４）を設け、用紙Ｄ（２１）にミシン目（６）、激励の言葉の記入欄（１５）を設け、用紙Ｅ（図７）にミシン目（６）、目標に定めた日の当日の白紙の紙（１６）を設け、用紙Ｆ（図８）にミシン目（６）、目標達成祝福の言葉を書いた暦（１７）を設け、用紙Ａ（１８）、用紙Ｂ（１９）、用紙Ｃ（２０）、用紙Ｄ（２１）、用紙Ｅ（２２）、用紙Ｆ（２３）とバインダー式の本体と組み合わせた目標達成カウントダウンカレンダー。
【発明の詳細な説明】
【技術分野】
【０００１】  この発明は、期限の決まった多種多様な目標に対応する、たとえば、大学や高校、中学校などの入学試験用、目標の資格試験の受験日などに向かって、自分で日数調整のできる目標達成カウントダウンカレンダーに関するものである。
【背景技術】
【０００２】  いままでも自分で作る手作りのカウントダウンカレンダーやパソコン上で示したカウントダウンはあった。
しかし、実際パソコンを開かなくても目標までの残りの日数が見られ、使用するための用途を特別に業者に注文したものしかなく、自分で決められるものはなかった。
【先行技術文献】
【特許文献】
【０００３】
【特許文献１】  登録実用新案第３１４５２００号公報
【特許文献２】  登録実用新案第３０７４５７７号公報
【発明の概要】
【発明が解決しようとする課題】
【０００４】  上記特許文献１、２に開示されているカレンダーは、素晴らしい作品だが融通性が効かず、特許文献１に関しては、あらかじめ４１５枚の日めくり用枚数紙束が必要であった。
カウントダウンをするときに無駄に日めくりの残り日数が長いと使用者の気持ちがだれたり、意欲を失うこともあった。
また、「受験用日めくりカレンダー」に、あらかじめ日にちを印刷してしまうことにより、そのカレンダーの使用の用途を限定してしまっていた。
文献２においては、やはり一度の目標の達成にしかならず、かつその日までの日にちを数えるという機能をその発明自体に持たすことができなかった。【０００５】（イ）たとえば、文化祭などやイベントの発表の前に、カウントダウンカレンダーを手作    りで作ることはいままでも多く行われていた。
しかし、手作りで作るのは時間も手間もかかっていた。
（ロ）特別に注文して作ってもらうカウントダウンカレンダーは、コストも高くなり、ま    た、作ってもらうために、注文をしてから本人が使い始めるまでに時間がかかってい    た。
（ハ）パソコン上に作るカウントダウンカレンダーは、それを見るために、パソコンを毎    回立ち上げなければならず、ときとして自分の目指す目標だけに集中できなくなるこ    とがあった。
【課題を解決するための手段】
【０００６】  バインダー式の本体に目標達成カウントダウンカレンダーの表紙（１）を設け、表紙（１）の下方に紐（２）を設け、バインダー式の本体の内側に開閉リング（５）を設け、開閉リング（５）に綴られている暦（３）を設け、用紙Ａ（１８）にミシン目（６）と呼びかけの言葉の記入欄（１０）を設け、用紙Ｂ（１９）にミシン目（６）とスタートの合図の暦（１１）を設け、用紙Ｃ（２０）にミシン目（６）とスタートの合図の暦（１１）を設け、用紙Ｃ（２０）にミシン目（６）、罫線（８）、残り日数（１２）、メモ欄（１３）、実際の日付（１４）を設け、用紙Ｄ（２１）にミシン目（６）、激励の言葉の記入欄（１５）を設け、用紙Ｅ（２２）にミシン目（６）、目標に定めた日の当日の白紙の紙（１６）を設け、用紙Ｆ（２３）にミシン目（６）、目標達成の祝福の言葉を書いた暦（１７）を設け、用紙Ａ（１８）、用紙Ｂ（１９）、用紙Ｃ（２０）、用紙Ｄ（２１）、用紙Ｅ（２２）、用紙Ｆ（２３）とバインダー式の本体と組み合わせた目標達成カウントダウンカレンダー。
【図面の簡単な説明】
【０００７】
【図１】  本発明の目標達成カウントダウンカレンダーの表紙の斜視図である。
【図２】  本発明１ページ目見開きの説明図である。
【図３】  本発明２ページ始まりの言葉を書いた暦の説明図である。
【図４】  本発明３ページ暦の説明図である。
【図５】  本発明４ページ暦の説明図である。
【図６】  本発明の暦の中の節目に挿入する激励の言葉を書く説明図である。
【図７】  本発明、試験当日の説明図である。
【図８】  本発明、図７に続く暦の部分の説明図である。
【発明を実施するための形態】
【０００８】  以下本発明の実施をするための形態について説明する。
バインダー式の本体に目標達成カウントダウンカレンダーの表紙（１）を設け、表紙（１）の下方に紐（２）を設け、バインダー式の本体の内側に開閉リング（５）を設け、開閉リング（５）に綴られている暦（３）を設け、用紙Ａ（１８）にミシン目（６）と呼びかけの言葉の記入欄（１０）を設け、用紙Ｂ（１９）にミシン目（６）とスタートの合図の暦（１１）を設け、用紙Ｃ（２０）にミシン目（６）、罫線（８）、残り日数（１２）、メモ欄（１３）、実際の日付（１４）を設け、用紙Ｄ（２１）にミシン目（６）、激励の言葉の記入欄（１５）を設け、用紙Ｅ（２２）にミシン目（６）、目標に定めた日の当日の白紙の紙（１６）を設け、用紙Ｆ（２３）にミシン目（６）、目標達成祝福の言葉を書いた暦（１７）を設け、用紙Ａ（１８）、用紙Ｂ（１９）、用紙Ｃ（２０）、用紙Ｄ（２１）、用紙Ｅ（２２）、用紙Ｆ（２３）とバインダー式の本体と組み合わせた目標達成カウントダウンカレンダーである。
【０００９】  本体の表紙にあたる目標達成カウントダウンカレンダーの表紙（１）にこのカウントカレンダーのタイトルにあたる、「目標達成カウントダウン」と記す。
バインダー式の本体の内側の閉会リング（５）にカウントダウンすべき残り日数、および、それに付属する、綴られている暦（３）の紐を通し壁に吊るし、いつでも目につくようにする。
見開き１ページ目、図２の目標を書く空白欄（４）の空欄に自分の目標を書く。
そして、２年分のカレンダー（７）のカレンダーを使って目標を達成するまでの日数を計算する。
これはこの部分をリングからはずすことにより、２年分の普通のカレンダーとしても使用可能である。
以下の作業を使い、図５のような４組のカウントダウン暦を組み合わせ、使用者の用途に応じた日数のカウントダウン暦を作成する。
その際、その目標に対して必要でない暦は開閉式リング（５）から外しておく。
図３には使用する前の、使用者への励ましのメッセージを書く。
図４から目標までのカウントダウンをスタートさせる。
勢いを持ってカウントダウンを始めることにより、目標への意欲を促進させる目的がある。
図５のような「あと○日」というページからはじめ、その途中、たとえば、７０日目と７１日目の間や５０日と５１日目の間、３０日目と３１日目の間に、図６の「行動は結果をうむ！」や「迷わずただ前へ」など使用者の気持ちを引き締める言葉を書いてカウントダウン途中の使用者の気持ちを引き締める。
図７は「あと１日」と書いた暦の次のページ、目標を設定した日の当日を表す。
図８には目標を達成した証のような暦をつける。
二次試験のタイトルは、図２の目標を書く空白欄（４）の空欄に書いた最初の目標の上に新たな目標を書いたシール型の紙を貼ることにより、二次試験用の目標達成カウントダウンカレンダーも作ることができる。
また、このカレンダーを何度も使いたいときには同じように、図２の目標を書く空白欄（４）を変えることにより、あらたな目標でこの「目標達成カウントダウンカレンダー」を使うことができる。
これは以上のように、構成された「目標達成カウントダウンカレンダー」である。
本案はこのような課題の改良を目的とし、まず自分で自分の達成目標を、このカレンダーを開いた表紙（４）に大きく書き、また、始める日と残りの日数も付属の２年分のカレンダー（７）を使い、自分で計算し、毎日自分の手と目で自分の志す目標と残りの日数を同時に確認しながら目標を達成するために考えられたものである。
【００１０】  ２年分のカレンダー（７）は、いくつかの試験は年をまたぐものもあるので、それをふまえ、２年分を用意した。
また、残り日数を自分で数えやすくするため月ごとのカレンダーの並びは以下の配列にした。
２年分のカレンダーは、縦４列に並べ、１列目はその年の１月から６月を縦に並べる。
２列目も同様にその年の７月から１２月、３列目も次の年の１月から６月、４列目も次の年の７月から１２月と各月のカレンダーを並べた。
その結果、各列のカウントダウンする日数を各列でたすだけで、全体のカウントダウンするべき日数が簡単に計算できる。
各列の合計日数は、各列の下に罫線を引き、その下に四角をかいて、それら数字を書き込むようにし、４つの四角い空欄をプラス（＋）の符号でつなぎ、わかりやすくした。
たとえば、２０１２年５月２５日が使用開始の日で試験が２０１３年１月２５日である場合、左から１列目（２０１２年１月から６月までのカレンダー）の数える日数は５月が６日、６月が３０日で合計は３６日になり罫線（８）の下の四角い枠の中に３６と書く。
２列目（２０１２年７月から１２月までのカレンダー）の日数は７月が３１日、８月が３１日、９月が３０日、１０月が３１日、１１月は３０日、１２月は３１日で、左２列目の合計は１８９日であり、同様に、罫線（８）の下の四角い枠に１８９と書く。
３列目（２０１３年１月から６月までのカレンダー）は、試験の前日は２４日になるので、合計は２４日でありこれも同様に罫線（８）の下の部分の枠に２４と書く。
４列目（２０１３年７月から１２月のカレンダー）はカウントダウンの日数に入っていないので、罫線（８）の下の枠に０と書く。
そして、それらの数字をすべてプラスすることにより、カウントダウンに必要な時間は２１３日と簡単に計算することができる。
【００１１】  カウントダウンをする用紙は１００日前から始めたものを用紙の色を変え、４組用意する。
それにより、長期の目標の達成計画の場合は１００日ごとの区切りがつき使用者の気持ちが変わる。
カウントダウンをする日にちをあまり大きくしないことにより、使用者の緊張を保ち、目標を達成するための意欲の継続を目的とする。
たとえば、目標まで１６５日なら、「あと１００日」と「あと６５日」という紙を組み合わせて使うのだが、４組の紙の色が違うので、たとえば、「あと６５日」と書いてあっても、その下に違う色の用紙が見えることにより、現実のカウントダウンは「あと１６５日」だということがわかる。
【００１２】  また、カウントダウン用紙を１００日前からのものを４組用意することにより、カウントダウンの必要日数がかりに１６５日だった場合、日めくりに取り付けるのは、１組目の１００日と、２組目の６５日になる。
３組４組目の１００枚は、図２の本体を利用することにより、まったく違う新たな目標達成カウントダウンカレンダーとして再利用することもできる。
当然、目標を達成するためのカウントダウン日数が１００日以下のものが４つあれば、このカレンダーを４度使うことができる。
【００１３】  土台ファイルに予め用意した残り日数の書いた紙は、必要な日数以外を開閉式リングから抜きカウントダウン日数を調整できる。
【００１４】  日めくり用紙に日にちを特定する日付を印刷しないことにより、さまざまな目標達成のカウントダウンカレンダーに応用できる。
何かの目標ができたときにそれにあわせ使い始めればいいのであり、中学、高校、大学受験。
そして、多種多様な資格試験、結婚式まで、仕事の開業までのカウントダウンなど使用用途は広い。
これにより、それぞれの人がその人の人生の目的において、さまざまな期限のもと、その人の目的にあった、その人だけのオリジナルカウントダウンカレンダーを作ることが可能になる。
【００１５】  日付が必要な場合は、図５に書かれた「○○月○○日」という所に自分で日にちを書き加えることも可能である。
【００１６】  この「目標達成カウントダウンカレンダー」を日常的に見ることにより、パソコンを開かなくても、毎日、自分の目で本番までの予定の日数を把握でき、また、自分のあげた目標を心に強く念じることができる。
【００１７】  また、このカウントダウンカレンダーを予定表にし、目標を達成するための１週間前には何をすべきか、前日には、５０日前にはと、その日にやらなければならないこと、注意点を予め書き残しておくことができる。
【００１８】  このカレンダーは、中学、高校、大学、大学院受験や公務員試験など、二次試験まであるものも考慮し、第一の目標の達成の後も続けてカウントダウンできるよう図２の目標を書く空白欄（４）に新たな目標を書けるようにした。
二次試験がある場合は、最初に目標を書く空白欄（４）の部分に「○○試験一次合格」と書き、そのカウントダウンが終了した後に、目標を書く空白欄（４）の部分に書き込みのできるシールか紙を貼り、「○○試験二次合格」と書く。
本発明は自分で目標達成へのカウントダウン用紙を調整できるので、二次試験や他の目標までの日数も付属のカレンダーを使い計算をして日数のカウントダウンカレンダーをすることができる。
【００１９】  「目標達成カウントダウン」をしているうちにつまずきそうなポイントには、使用者を励ますような言葉を書いた用紙をはさみ、目的を達成するための気持をサポートするように考えてある。
【００２０】  また、学校や塾などにおいては「目標達成カウントダウン」を多くの人で共有して使うことにより、一つの目標を達成するための全員の共通意識を持つことができ、よりいっそう、目標へ向かっての気持ちの高揚を、一人一人高めることができる。
【００２１】  最後の７日前から１日前までは気持ちを切り替えるつもりで、用紙の色を変える。
【発明の効果】
【００２２】  目標の達成を自らの手で大きく書き日々それを目にすることにより自分の目標に対しての志を強め、また、カウントダウンの日数も１００日単位で繰り返すことにより、目標を達成するための道のりに変化をつけ、使用者の目標を達成するための意欲を継続させるようにしてある。
また、目標までのカウントダウンの暦の間に使用者を励ます言葉を入れることにより、使用者の気持ちの切り替えを促した。
この発明は、ただの目標までの残り日数を知らせるカウントダウンのカレンダーではなく、目標を達成するまで使用者の気持ちを考え、使用者とともに目標を達成するための過程を歩めるよう考えて作られている。
さらに、カウントダウンの日にちを１００日単位で、自分で調整できることにより、同じカレンダーで最大４つの目標を達成するためのカウントダウンカレンダーとして使うことも可能である。
【符号の説明】
【００２３】    １  表紙
２  紐
３  綴られている暦
４  目標を書く空白欄
５  開閉リング
６  ミシン目
７  ２年分のカレンダー
８  罫線
９  計算式記入欄
１０  呼びかけの言葉の記入欄
１１  スタートの合図の暦
１２  残り日数
１３  メモ欄
１４  実際の日付
１５  激励の言葉の記入欄
１６  目標に定めた日の当日の白紙の紙
１７  目標達成祝福の言葉を書いた暦
１８  用紙Ａ
１９  用紙Ｂ
２０  用紙Ｃ
２１  用紙Ｄ
２２  用紙Ｅ
２３  用紙Ｆ
【図１】
2014108625.tif 000003
【図２】
2014108625.tif 000004
【図３】
2014108625.tif 000005
【図４】
2014108625.tif 000006
【図５】
2014108625.tif 000007
【図６】
2014108625.tif 000008
【図７】
2014108625.tif 000009
【図８】
2014108625.tif 000010